(57)【要約】【課題】衣類あるいはかばん等に使われるコードの長さを調整するコードロックを提供する。【解決手段】コードを収納するようにボトムカバー部の上部にアウトカバー部とインナー部が形成され、前記アウトカバー部とインナー部との間には、制御空間部が形成された本体と、前記本体の第１収容口と第２収容口を通過した前記コードの長さが調整されるように制御する制御手段と、前記制御手段と前記本体を一体に連結させるように前記制御手段と前記本体と一体に射出成形されたコネクティング手段と、前記コネクティング手段に組み立てられて、前記本体の第１収容口及び第２収容口を通過した前記コードをホールディングするように前記制御手段を付勢する弾性手段と、前記弾性手段によって付勢される前記制御手段と前記コネクティング手段の外面を覆って外観を美麗にし、前記制御手段のアッパーカバー部の表面に形成された嵌め突起に強制に嵌められる嵌め溝が形成されたデコレーション手段と、からなる構成とした。これにより、本体と制御手段とコネクティング手段が単一部品として射出成形されるため、製造コストの低減及び生産性の向上が図られる他、デコレーション手段によって外観がより美麗になり、デコレーション手段をワンタッチするとコードのホールディングが解除されてコードの長さを容易に可変させることができるので、使用の便利性をより倍加させることができる。【選択図】図４
2008505725.tif 000002
【特許請求の範囲】
【請求項１】
衣類あるいはかばん等に使われるコードの長さを調整するコードロックにおいて、
前記コードを収納するようにボトムカバー部の上部にアウトカバー部とインナー部が形成され、前記アウトカバー部とインナー部との間には制御空間部が形成され、前記アウトカバー部と前記インナー部には、前記コードが通過するように第１収容口及び第２収容口がそれぞれ形成された本体と、
前記本体の第１収容口と第２収容口を通過した前記コードの長さが調整されるように制御し、複数の嵌め突起が突出されたアッパーカバー部と、前記アッパーカバー部の端部から略直角で突出して前記制御空間部に収容され、前記コードが通過する第３収容口が形成された制御部とからなる制御手段と、
前記制御手段と前記本体を一体に連結させるように前記制御手段及び前記本体と一体に射出成形され、前記コードが通過する第４収容口が形成されたコネクティング手段と、
前記コネクティング手段に組み立てられ、前記本体の第１収容口及び第２収容口を通過した前記コードをホールディングするように前記制御手段を付勢し、前記コネクティング手段に強固に組み立てられるように、外周面が前記コネクティング手段の連続突起と面接触する貫通口が形成された弾性手段と、
前記弾性手段によって付勢される前記制御手段と前記コネクティング手段の外面を覆って外観が美麗になるように、前記制御手段のアッパーカバー部の表面に形成された嵌め突起に強制に嵌められる嵌め溝が形成され、前記コネクティング手段を覆う表面には、前記コネクティング手段の第４収容口と連通する第５収容口が形成されたデコレーション手段と、
から構成されたことを特徴とするコードロック。
【請求項２】
前記アウトカバー部と前記インナー部の両側にはサイドカバー部が備えられて、前記本体の外観を形成し、
前記アウトカバー部の上部には前記デコレーション手段の動きを制御するコントロール部が備えられたことを特徴とする請求項１に記載のコードロック。
【請求項３】
前記コネクティング手段の第４収容口の外周面には、前記弾性手段が動くことなく強固に組み立てられるように連続突起が突設されたことを特徴とする請求項１に記載のコードロック。
【請求項４】
前記コネクティング手段と前記制御手段との境界面、そして前記コネクティング手段と前記本体との境界面には、
前記制御手段の制御部を前記本体の制御空間部に位置させて、前記コードを前記第１収容口と前記第３収容口と前記第２収容口と前記第４収容口に収容させる場合、前記コネクティング手段と前記制御手段が定位置に位置するようにその厚さが他の部材の厚さよりも薄く、その幅が他の部材の幅よりも狭く形成されたヒンジ部が備えられたことを特徴とする請求項１に記載のコードロック。
【請求項５】
前記弾性手段の貫通口の両側面には、前記貫通口が変形することを防止するように補強突起が突設されたことを特徴とする請求項１に記載のコードロック。
【請求項６】
前記デコレーション手段の内面上部には、
前記嵌め突起に前記嵌め溝が強制に嵌められて前記デコレーション手段が前記制御手段と前記コネクティング手段をカバーする場合、前記デコレーション手段が前記制御手段から離脱することを防止するように前記制御手段の凹溝に挿入される挿入突起が突設されたことを特徴とする請求項１に記載のコードロック。
【発明の詳細な説明】
【技術分野】
【０００１】
本発明は、衣類あるいはかばん等に使われるコードの長さを調整するコードロックに係り、特に、コンパクトな構造を有し、ワンタッチによってコードの長さを制御可能にして使用の便利性を倍加させ、かつ、外観を甲虫の形状にした高品質のコードロックに関する。
【背景技術】
【０００２】
一般に、衣類あるいはかばん等に使われるコードの長さを調整するコードロックは、その使用範囲が広範囲で、様々な形態のものが提案されてきている。
かかる従来のコードロックの一例に、日本国で２００１年３月３１日付に特許公開された特開２００１−７００１２号のコードロックがある。
【０００３】
この特許で提案されたコードロックは、図１及び図２に示すように、筒側部対向位置にコードの通し穴１０を備え、かつ、一方の筒端を開放させると共に他方の筒端を閉塞させた筒状本体１と、この筒状本体の開放側から当該筒状本体１内に移動可能に納められていると共に、移動方向に略直交する向きにコードの通し穴２０を備えたロック体２とを有しており、このロック体２が、少なくとも当該ロック体２のコードの通し穴２０と前記筒状本体１のコードの通し穴１０とをコードの通し抜け可能に連通させた当該ロック体２の押し込み位置において、当該筒状本体１の閉塞底部１４に下端部３１を突き当てて当該ロック体２を当該筒状本体１内から突き出させる向きに付勢する一対の屈曲状弾性片３，３を備えていることを特徴とする。
【０００４】
このような従来の日本国特開２００１−７００１２号に記載されたコードロックは、構造が複雑な筒状本体１とロック体２と１対の屈曲状弾性片３とで構成されるため、製造時に、製造コストが上昇するだけでなく、生産性が低下するという問題点があった。
また、筒状本体１の通し穴１０とロック体２の通し穴２０にコードが収納されていない場合には、筒状本体１とロック体２が分離されて紛失する恐れがあるだけでなく、組立が難しいという問題点があった。
すなわち、従来のコードロックは、構成部品が複雑で、部品数が多いため、製造時に製造コストが上昇し、生産性が低下するだけでなく、組立が難しく、外観が綺麗でないという諸問題があった。
【特許文献１】特開２００１−７００１２号公報
【発明の開示】
【発明が解決しようとする課題】
【０００５】
本発明は上記の問題点を解決するためのもので、その目的は、構造がコンパクトなために製造が容易で、生産性を向上させることができ、且つ、簡便に使用できるだけでなく、外観が甲虫の形状で形成されてより高品質を有するコードロックを提供することにある。
【課題を解決するための手段】
【０００６】
上記目的を達成するために本発明に係るコードロックは、衣類あるいはかばん等に使われるコードの長さを調整するコードロックにおいて、前記コードを収納するようにボトムカバー部の上部にアウトカバー部とインナー部が形成され、前記アウトカバー部とインナー部との間には制御空間部が形成され、前記アウトカバー部と前記インナー部には、前記コードが通過するように第１収容口及び第２収容口がそれぞれ形成された本体と、前記本体の第１収容口と第２収容口を通過した前記コードの長さが調整されるように制御し、複数の嵌め突起が突出されたアッパーカバー部と、前記アッパーカバー部の端部から略直角で突出して前記制御空間部に収容され、前記コードが通過する第３収容口が形成された制御部とからなる制御手段と、前記制御手段と前記本体を一体に連結させるように前記制御手段及び前記本体と一体に射出成形され、前記コードが通過する第４収容口が形成されたコネクティング手段と、前記コネクティング手段に組み立てられ、前記本体の第１収容口及び第２収容口を通過した前記コードをホールディングするように前記制御手段を付勢し、前記コネクティング手段に強固に組み立てられるように、外周面が前記コネクティング手段の連続突起と面接触する貫通口が形成された弾性手段と、前記弾性手段によって付勢される前記制御手段と前記コネクティング手段の外面を覆って外観が美麗になるように、前記制御手段のアッパーカバー部の表面に形成された嵌め突起に強制に嵌められる嵌め溝が形成され、前記コネクティング手段を覆う表面には、前記コネクティング手段の第４収容口と連通する第５収容口が形成されたデコレーション手段と、から構成されたことを特徴とする。
【発明の効果】
【０００７】
本発明のコードロックによれば、本体と制御手段とコネクティング手段とが単一部品として射出成形されるため、製造コストの低減及び生産性の向上が図られる他、デコレーション手段によって外観がより美麗になり、デコレーション手段をワンタッチするとコードのホールディングが解除されてコードの長さを容易に可変するため、使用の便利性がより倍加するという極めて優れた効果が得られる。
【発明を実施するための最良の形態】
【０００８】
以下、本発明に係るコードロックの好適な実施例を、添付の図面を参照しつつ詳細に説明する。
図３は、本発明の一実施例によるコードロックを示す斜視図であり、図４は、本発明の一実施例によるコードロックを示す分解斜視図であり、図５は、本発明の一実施例による、制御手段を折り曲げた状態におけるコードロックの分解斜視図であり、図６は、本発明の一実施例による、制御手段のストッパーが本体に係合した状態におけるコードロックを示す断面図であり、図７は、本発明の一実施例による、コードの長さが可変する状態におけるコードロックを示す断面図であり、図８は、本発明の一実施例による、コードがホールディングされた状態におけるコードロックを示す断面図であり、図９は本発明の他の実施例によるコードロックを示す斜視図である。
【０００９】
図３乃至図９を参照すると、参照符号１００は、衣類あるいはかばん等に使われるコードＣを収納するようにボトムカバー部１１０の上部にアウトカバー部１２０とインナー部１３０が形成され、アウトカバー部１２０とインナー部１３０との間には制御空間部１５０が形成された本体であって、アウトカバー部１２０とインナー部１３０にはコードＣが通るように楕円形状の第１収容口１２１及び第２収容口１３１がそれぞれ形成されている。
また、アウトカバー部１２０とインナー部１３０の両側にはサイドカバー部１４０が備えられて外観を形成し、アウトカバー部１２０の上部には、後述するデコレーション手段の動きを制御するコントロール部１６０が備えられている。
【００１０】
また、参照符号２００は、本体１００の第１収容口１２１と第２収容口１３１を通過したコードＣの長さが調整されるように制御する制御手段であって、ボトムカバー部１１０の上部を覆うアッパーカバー部２１０と、アッパーカバー部２１０の端部から略直角で突出し、制御空間部１５０に収容される制御部２２０とからなる。
また、制御手段２００のアッパーカバー部２１０の表面には、後述するデコレーション手段が組み立てられるように複数の嵌め突起２１１が突設され、制御部２２０には、コードＣが通過する楕円形状の第３収容口２２１が形成されている。
【００１１】
また、制御手段２００の制御部２２０の一面には、制御部２２０が制御空間部１５０から離脱するのを防止するように、アウトカバー部１２０の第１収容口１２１に係止されるストッパー２２２が突出されており、このストッパー２２２と対向する制御部２２０の他面には、後述するデコレーション手段が強固に組み立てられるように凹溝２２３が形成されている。
【００１２】
一方、参照符号３００は、本体１００と制御手段２００を一体に連結させるコネクティング手段であって、制御手段２００及び本体１００と一体に射出成形され、コードＣが通過する楕円形状の第４収容口３１０が形成されている。
また、コネクティング手段３００の第４収容口３１０の外周面には、後述する弾性手段が動くことなく強固に組み立てられるように連続突起３２０が突設されている。
【００１３】
また、コネクティング手段３００と制御手段２００の境界面、そしてコネクティング手段３００と前記本体１００との境界面には、制御手段２００の制御部２２０を本体１００の制御空間部１５０に位置させて、コードＣを第１収容口１２１、第３収容口２２１、第２収容口１３１及び第４収容口３１０に収容させる場合、コネクティング手段３００と制御手段２００が定位置に位置するように、その厚さＴが他の部材の厚さよりも薄く、その幅Ｗが他の部材の幅よりも狭く形成されたヒンジ部３４０，３４０’が備えられている。
【００１４】
すなわち、コネクティング手段３００と制御手段２００との境界面、そしてコネクティング手段３００と本体１００との境界面には、その厚さＴが薄く且つその幅Ｗが狭く形成されたヒンジ部３４０，３４０'が備えられることによって、図４に示す状態から図７に示す状態に制御手段２００の制御部２２０を本体１００の制御空間部１５０に位置させる際に、容易に制御部２２０を制御空間部１５０に位置させることができる。
【００１５】
一方、参照符号４００は、図７に示すように本体１００の第１収容口１２１及び第２収容口１３１を通過したコードＣを、図８に示すようにホールディングするようにコネクティング手段３００に組み立てられて制御手段２００を付勢する弾性手段であって、コネクティング手段３００に強固に組み立てられるように、外周面がコネクティング手段３００の連続突起３２０と面接触する貫通口４１０が形成されている。
また、弾性手段４００の貫通口４１０の両側面には、貫通口４１０が変形されるのを防止するように補強突起４２０が突設されている。
【００１６】
一方、参照符号５００は、外観を綺麗にするように制御手段２００とコネクティング手段３００の外面を覆うデコレーション手段であって、制御手段２００を覆う面には、アッパーカバー部２１０の表面に形成された嵌め突起２１１に強制に嵌められる嵌め溝５１０が形成され、コネクティング手段３００を覆う表面には、コネクティング手段３００の第４収容口３１０と連通する第５収容口５２０が形成されている。
【００１７】
また、デコレーション手段５００の内面上部には、嵌め突起２１１に嵌め溝５１０が強制に嵌められてデコレーション手段５００が制御手段２００とコネクティング手段３００をカバーする場合、デコレーション手段５００が制御手段２００から離脱することを防止するように制御手段２００の凹溝２２３に挿入される挿入突起５３０が突設されている。
すなわち、デコレーション手段５００は、嵌め溝５１０が制御手段２００の嵌め突起２１１に強制に嵌められ、挿入突起５３０が制御手段２００の凹溝２２３に挿入されて、制御手段２００とコネクティング手段３００から離脱することなく強固に組み立てられる。
【００１８】
また、図３乃至図８では、嵌め突起２１１と嵌め溝５１０が４個形成されてあたかも甲虫の形状をしているが、本発明はこれに限定されることはなく、図９に示すように、嵌め突起２１１と嵌め溝５１０が１個形成されたものも可能であり、よって、本発明は、嵌め突起２１１と嵌め溝５１０の数量及び形状に制限されることはない。
【００１９】
以下、上記のように構成された本発明によるコードロックの作用及び効果を説明する。
まず、本発明によるコードロックは、本体１００と制御手段２００とコネクティング手段３００とが単一部品として一体に射出成形されてなるので、製造コストの低減及び生産性向上が図られる。
また、本発明によるコードロックは、コネクティング手段３００に弾性手段４００を組み立てた後、制御手段２００を図６に示す矢印Ａ方向に付勢すると、制御手段２００の制御部２２０が本体１００の制御空間部１５０に収納されるので、誰でも容易に組み立てができる。
【００２０】
また、制御手段２００のアッパーカバー部２１０に形成された嵌め突起２１１にデコレーション手段５００の嵌め溝５１０を強制に嵌めると、本発明によるコードロックはあたかも甲虫の形状となるため、外観をより美麗にし、高品質のコードロックを提供できる。
一方、コネクティング手段３００に弾性手段４００を組み立てる場合、コネクティング手段３００には連続突起３２０が突設され、これによって弾性手段４００が離脱するとを防止でき、弾性手段４００をより強固にコネクティング手段３００に組み立てることができる。
また、弾性手段４００の貫通口４１０の両側には補強突起４２０が突設されるため、弾性手段４００が変形することを防止でき、耐久性をより増大させることができる。
【００２１】
また、本発明によるコードロックは、図８に示すように、弾性手段４００の弾性力によって制御手段２００が上部に付勢されることでコードＣがホールディングされ、以降、コードＣの長さを制御しようとする場合、ワンタッチ方式によって容易にコードＣの長さを制御できる。
すなわち、コードＣの長さを制御するためにデコレーション手段５００をワンタッチで押すと、図７に示すように、制御手段２００の第３収容口２２１が本体１００の第１収容口１２１及び第２収容口１３１と一致することによって、コードＣの長さを容易に調整することができる。
また、デコレーション手段５００をワンタッチで押すと、本体１００のコントロール部１６０がデコレーション手段５００と面接触することによって、容易で且つ円滑にコードＣの長さを調整できる。
【図面の簡単な説明】
【００２２】
【図１】従来のコードロックを示す平面図である。
【図２】従来のコードロックの内部構造を示す断面図である。
【図３】本発明の一実施例によるコードロックを示す斜視図である。
【図４】本発明の一実施例によるコードロックを示す分解斜視図である。
【図５】本発明の一実施例による、制御手段を折り曲げた状態におけるコードロックを示す分解斜視図。
【図６】本発明の一実施例による、制御手段のストッパーが本体に係合した状態におけるコードロックを示す断面図である。
【図７】本発明の一実施例による、コードの長さが可変する状態におけるコードロックを示す断面図である。
【図８】本発明の一実施例による、コードがホールディングされた状態におけるコードロックを示す断面図である。
【図９】本発明の他の実施例によるコードロックを示す斜視図である。
【符号の説明】
【００２３】
１００    本体
１１０    ボトムカバー部
１２０    アウトカバー部
１２１    第１収容口
１３０    インナー部
１３１    第２収容口
１４０    サイドカバー部
１５０    制御空間部
１６０    コントロール部
２００    制御手段
２１０    アッパーカバー部
２１１    嵌め突起
２２０    制御部
２２１    第３収容口
２２２    ストッパー
２２３    凹溝
３００    コネクティング手段
３１０    第４収容口
３２０    連続突起
３４０，３４０'    ヒンジ部
４００    弾性手段
４１０    貫通口
４２０    補強突起
５００    デコレーション手段
５１０    嵌め溝
５２０    第５収容口
５３０    挿入突起
【図１】
2008505725.tif 000003
【図２】
2008505725.tif 000004
【図３】
2008505725.tif 000005
【図４】
2008505725.tif 000006
【図５】
2008505725.tif 000007
【図６】
2008505725.tif 000008
【図７】
2008505725.tif 000009
【図８】
2008505725.tif 000010
【図９】
2008505725.tif 000011
【国際調査報告】
2008505725.tif 000012